(57)【要約】動脈化を受ける血管内の血液かん流圧力のコントロールのための機器と方法が開示される。提供されるカニューレは、時間内に再吸収する、あるいは、除去される狭窄部を含み、カニューレのいずれかの端部で接続された２つの血液通路の間の血圧のゆるやかな増加を可能にする。特に強調する点は、心臓における管用カニューレの使用がなされたことである。
2009502348.tif 000002
【特許請求の範囲】
【請求項１】
管内の血液かん流圧力をコントロールするための機器であって：
空洞、高い血圧を有する領域と接触する基端部、及び、低い血圧を有する領域と接触する遠位端を有する細長の本体と；
前記細長の本体の前記空洞内の前記基端部と遠位端の間に配置された再吸収可能な狭窄部と；を有し、
前記再吸収可能な狭窄部は、基端部から遠位端へ向かう血流によって時間内に再吸収され、その結果、遠位端における領域の血圧を前記基端部の領域の血圧によって徐々に平均化する、
ことを特徴とする機器。
【請求項２】
前記細長の本体の基端部および遠位端における領域は、心臓の部分である請求項1の機器。
【請求項３】
前記細長の本体の基端部における領域は、腋窩または大腿部の動脈である、請求項1の機器。
【請求項４】
前記細長の本体の遠位端における領域は、腋窩または大腿部の静脈である、請求項1の機器。
【請求項５】
前記再吸収可能な狭窄部は、ポリオール類またはマグネシウム合金で形成されている、請求項1の機器。
【請求項６】
前記再吸収可能な狭窄部は、前記細長の本体の遠位端よりも前記基端部の近くに配置されている、請求項1の機器。
【請求項７】
管内の血液かん流圧力をコントロールするための機器であって：
空洞、高い血圧を有する領域と接触する基端部、及び、低い血圧を有する領域と接触する遠位端を有する細長の本体と；
前記基端部と遠位端の間の前記細長の本体の空洞内に位置決めされたバルーン閉塞部と；を有し、
前記バルーン閉塞部は、最初に、前記空洞を部分的に閉ざすために満たされるけれども、周期時間の経過後に収縮するか、または、除去され、その結果、遠位端における領域の血圧を前記基端部の領域の血圧によって徐々に平均化する、
ことを特徴とする機器。
【請求項８】
前記細長の本体の基端部および遠位端における領域は、心臓の部分である、請求項８の機器。
【請求項９】
前記細長の本体の基端部における領域は、腋窩または大腿部の動脈である、請求項８の機器。
【請求項１０】
前記細長の本体の遠位端における領域は、腋窩または大腿部の静脈である、請求項８の機器。
【請求項１１】
前記バルーン閉塞部は、前記細長の本体の遠位端よりも基端部の近くに配置されている、請求項８の機器
【請求項１２】
循環系の一部内でレトログレード流れを生成するためのカニューレであって： 
空洞、高い血圧を有する領域と接触する基端部、及び、低い血圧を有する領域と接触する遠位端を有する細長の本体と；
前記細長の本体の前記空洞内の前記基端部と遠位端の間に配置された再吸収可能な狭窄部と；を有し、
前記再吸収可能な狭窄部は、基端部から遠位端へ向かう血流によって時間内に再吸収され、その結果、遠位端における領域の血圧を前記基端部の領域の血圧によって徐々に平均化する、
ことを特徴とするカニューレ。
【請求項１３】
前記細長の本体の前記遠位端および前記基端部における領域は、心臓の部分である、請求項１２の機器。
【請求項１４】
前記細長の本体の前記遠位端および前記基端部における領域は、腋窩または大腿部の動脈である、請求項１２の機器。
【請求項１５】
前記細長の本体の遠位端における領域は、腋窩または大腿部の静脈である、請求項１２の機器。
【請求項１６】
前記再吸収可能な狭窄部は、ポリオール類またはマグネシウム合金で形成されている、請求項１２の機器。
【請求項１７】
前記再吸収可能な狭窄部は、前記細長の本体の遠位端より基端部の近くに配置されている、請求項１２の機器。
【請求項１８】
血管をより高い血圧の下で作動するように調整するための方法であって：
細長のチューブ状の本体の遠位端を、調節される血管に導入するステップと；
調節される血管より高い血圧を有する別の領域に、細長のチューブ状の本体の基端部を導入するステップと；
遠位端における血圧が時間内に増加して基端部における血圧と略同じになるように、前記基端部から遠位端へ向かう血流を徐々に増加させるステップと、
を有することを特徴とする方法。
【請求項１９】
前記血圧のゆるやかな増加が、細長のチューブ状の本体内のバルーン閉塞部の収縮または除去によって達成される、請求項１８の方法。
【請求項２０】
血圧のゆるやかな増加が、細長のチューブ状の本体内の狭窄部のゆるやかな再吸収によって遂行される請求項18の方法。
【請求項２１】
前記細長のチューブ状の本体内の狭窄部のゆるやかな再吸収は、数週間かけて完了する、請求項２０の方法。
【請求項２２】
前記狭窄部は、ポリオール類またはマグネシウム合金で形成されている、請求項２０の方法。
【発明の詳細な説明】
【技術分野】
【０００１】
本出願は、2005年7月29日に出願された米国仮特許出願番号60/703,422に対して優先権主張し、その内容は、ここでは、参照によりこの開示物に組み込まれる。
本発明は、一般的には、血圧コントロールに関する。より詳細には、本発明は、逆かん流カニューレを用いて血圧をコントロールする機器及び方法に関する。
【背景技術】
【０００２】
冠状静脈洞治療による心筋救済の概念は、19世紀にさかのぼる。目的は、例えば、冠状静脈洞から冠状静脈床へ逆方向にかん流させることにより、虚血性の心筋へ酸素が付加された血液の流れを増大させることにあり、すなわち、冠状静脈逆かん流である。これまでのところ、多くの逆かん流方法が開発されている。圧力制御間欠性冠状静脈洞閉塞（PICSO）は、冠状静脈洞の開口部をすぐ越えたところに配置され、予め設定されたサイクルに従ってバルーンを自動的に膨張及び収縮させる空気ポンプへその基端部が接続されたバルーン付きカテーテルと併せて使用される。同期逆行性かん流であるＳＲＰ（Synchronized Retrograde Perfusion）、及び、簡略化逆かん流（Simplified Retroperfusion）は、動脈および静脈の血液を前者と後者に積極的にそれぞれ送り込む他の手術法である。左心室駆動冠状静脈洞逆かん流手術は、冠状静脈洞の短絡に対して外科手術で形成される左心室を通して、左心室の血液を冠状静脈洞に送り込むことを中心としている。
【０００３】
先行する研究により、静脈の逆かん流の効能が示されている。（１）冠状静脈バイパス移植（CVBG）又は経皮本来位置冠状静脈動脈化（PICVA）は、逆かん流をしない単なるＬＡＤ動脈結紮の存在の中での均一な非生存能力に比べて、ＬＡＤ動脈結紮の存在の中で生存を与え；（２）心内膜下を含む心臓のすべての層にかん流するので、逆かん流は効果的であり；（３）低位の局所的毛細管状血流および、低レベルの逆流性の動脈流出を持つ局所的心筋機能の相当の回復は、心筋内の静脈網状組織を介して可能な酸素供給のための証拠を提供している。
【０００４】
CVBGまたはPICVA法は、以下を含む従来の冠状動脈バイパスグラフト（CABG）法より多くの利点を有する： (1) 血管再生対象の約20%は、乏しいランオフまたは小さな冠状動脈をもつ血管造影的放散アテローム性動脈硬化症変化を有する。これは、動脈のバイパスまたは経皮的冠状動静脈血管形成術（PTCA）を、成功させなくする。これらのケースでは、CVBGは最上の法であるかもしれない。さらに、冠状静脈のためのランオフは動脈のそれらよりかなり大きく、したがって、外科的な実施は、グラフトの改良された開存性と比べてずっと容易である。(2)心臓の冠状静脈系は、アテローム性動脈硬化的な変化を受けることはまれである。これは、一般的にCABG法により明らかである再狭窄の問題を減らし、又、患者の寿命を通じて複数の外科手術の必要性を減らす。(3)CVBGはCABG法より外科的に実施しやすく、心臓停止および体外での血液循環の使用を必要としない。CVBG法は、拍動する心臓において心臓拘束（cardiac restrainer）の使用により実施できる。これは外科手術のリスクを減らし、より迅速な回復を保証する。これは、特に、高齢の重篤な患者には重要である。
【０００５】
数に関してこの分野の重要性を強調すると、米国において年間約140万の心筋硬塞の患者数および西ヨーロッパにおいてそれに等しい数がある。それらの患者の約20%は、放散性冠状動脈疾患であるため、バイパスのための好ましい対象ではない。それらの患者は心臓移植を除いて治療選択肢がほとんどない。しかし、心臓移植の数は2005年に2,000であり、足りない。それらの患者の多くは、非常に高い治療コスト（米国において毎年の全体の医療費の5.4%である400億ドル）の心不全に進行する。それらの患者を治療する機器の期待は、心不全に関連するコストの縮小だけでなく、救われる生命に関しても大きい。
【発明の開示】
【発明が解決しようとする課題】
【０００６】
従って、実施するのに簡単に、使い、理解しやすく、逆かん流を利用した心不全治療の従来技術に対する代替のための技術において、低侵襲性で、使用及び理解が容易で、実施が簡単で、要求された結果を生み出すのに効果的なものである技術に対するニーズが存在する。
【課題を解決するための手段】
【０００７】
本発明は、様々な器官（例えば、脳、目など）特に心臓の適切な逆かん流を補助する機器と方法を提供する。一般的な目的は、ポンプを必要とせず、周辺の動脈から生成された動脈を用いて冠状静脈洞を通じて冠状静脈床のかん流を逆行的に提供する冠状静脈逆かん流カニューレを開発することである。カニューレは局部麻酔の下で、腋窩または大腿部の静脈から導入されて、グラフトから成る基端部は、腋窩または大腿部の動脈にそれぞれ吻合される。さらに、カニューレは、最初に、再吸収可能な素材で作られたバルーンまたは障害（狭窄部）の膨張による大幅な圧力降下（約50mmHg）を課し、したがって、動脈圧力のわずかを静脈系に伝達するだけである。中間的な圧力は、2週から3週間静脈系を動脈化するために使用され、そして、狭窄部の解放により動脈圧力を高めることがでぃる。再吸収可能な素材について、数週期間の間素材が再吸収すると、それは圧力降下を減らし、それゆえ、動脈圧力のより多くを静脈系へ伝達する。これは、管浮腫と大出血液の結果生じる（静脈から動脈への）圧力の突然の増加という、冠状静脈逆かん流についての主要な問題に対処している。ここでは、新規なカニューレが提供され、これは、静脈系を動脈化することを可能にするために、圧力のゆるやかな増加を与える。圧力のゆるやかな増加は、管破裂を防止する、静脈系の動脈化を可能にする。本発明の利点のいくつかは、以下を含むが、これに限定されるわけではない：(1)要求された初期圧力降下を提供し、および、冠状静脈系に穏やかな流れを保証する狭窄部を持つカニューレの設計； (2)浮腫及び出血を防ぐための静脈系の前もった動脈化；（3）血液が患者の動脈から供給される際のポンプの必要性の除去； (4) 開心術が不要な系の経皮的提供； 及び、（5）バイパス外科術のような心臓の停止を不要とするための拍動する心臓におけるカニューレの提供。
【０００８】
冠状静脈は、アテローム性動脈硬化症には進展しないので、血管再生のための導管としてこれらの管を使うことが望ましい。６０年以上前に、ロバーツなどは、動物の研究におけるレトログレード方法において、酸素で処理された血液を供給するために、導管として冠状静脈の使用を提案した。この独創的な研究の5年後に、ベックとその同僚は、人間の冠状逆かん流法を実施した。しかし、この方法は、上昇した圧力の結果として生じる浮腫と大出血による高い死亡率のせいで、使用されていない。さらに、移植クロット（graft clots）、および、アテローム性動脈硬化性変化は、進行性の静脈閉塞へ導く、圧力の突然の変化に応じて静脈管に生じる。
【０００９】
これらの問題を解決するために、本発明は、冠状静脈内の圧力が、静脈（10-20mmHg）から動脈の値（100-120mmHg）へ単一のステップで増加するのを回避する。代わりに、カニューレは、圧力のよりゆるやかな増加の時間の間、静脈系の圧力を調節する。この処置は、ストレスを減少させて、ポスト毛細血管細静脈の破裂を防止するために、動脈化すべき静脈の管と管壁を厚くすることを可能にする。さらに、圧力のゆるやかな増加は、損傷反応を減少させて、その後、大きな心外膜静脈のアテローム性動脈硬化的変化を減少させる。
【発明を実施するための最良の形態】
【００１０】
本発明は、冠状静脈洞への経皮的挿入物のために設計され、鎖骨下動脈と近接して接続する、鋭くかつ長期の逆かん流用のカニューレを記述する。これは、冠状静脈系を通じて、急性心筋硬塞の発生の間に、酸素処理された血液の逆かん流によって急性の虚血性の領域を減少させることを可能にする。
【００１１】
本発明の典型的な実施形態は、図1に図解されるように、管壁140内のカニューレ100を示し、グラフトである基端部分（図示せず）を備えている。カニューレの遠位端分は拡張可能な外部バルーン121を備えるカテーテル101を含む。 カテーテルは、当該技術分野で使用される、ポリウレタン、シリコーンゴム、他の適切なポリマー材料などで形成できる。遠位端は、モニター目的の圧力センサー124及び管を測定しそれに応じて外部バルーン121の寸法測定をするためのインピーダンス電極123を含む。
【００１２】
外部拡張可能バルーン121は、冠状静脈のカニューレを固定させる。さらに、外部バルーンは、カニューレを離れる血液の逆流を防止する。本実施形態において、第２の、内部バルーン122は、静脈のゆるやかな動脈化のために必要な圧力降下を提供する役割を果たす。バルーンは、その機能に適した材料で形成でき、これらに限定されることはないが、ポリエチレン、ラテックス、ポリエステルエタンまたはこれらの組み合わせを含む。バルーンは、カニューレ内の２次的空洞に接続でき、これは、一の実施形態においては、カニューレの基端部から出現する経皮的ポートと接続される。経皮的ポートは、逆かん流の間にバルーンを膨張させる、あるいは、収縮させるために使用される。一の典型的な実施形態において、静脈動脈化が完了したときには、内部バルーン122は2次的空洞を経て完全に取り除くことができる。図1において説明された実施形態の中では、外部バルーンおよび内部バルーンは、お互いに同心円状とすることができる。他の実施形態においては、内部および外部バルーンはカニューレの別個の部分に置くことができる。
【００１３】
他の典型的な実施形態は、カテーテルの遠位端120の近くで管を測定し、それに応じてバルーンの寸法を測定するために、2セットの4極性の電極123を含んでいてもよい。冠状静脈洞の選択的な領域は、参照によりその全体がここの組み入れられる、2004年2月19日に出願された、係属中の特許出願である米国特許出願No.10/782,149「管腔の器官の断面積と圧力勾配を測定するシステム及び方法」内により詳細に説明されているように、これらの励磁及び検出電極を使用して寸法測定することができる。その出願において、詳細な説明は、血管のサイズを決定するために使用されるコンダクタンスカテーテルを提供している。
【００１４】
インピーダンス電極を含まないカニューレの実施形態においては、外部バルーンの寸法測定は、生体内及び生体外で測定されるバルーンのコンプライアンスに基づいても達成できる。この方法は、バルーン容積のキャリブレーションと、それゆえ、生体内での結果により生じる体外における直径とを必要とする。この代替的方法は、電極およびインピーダンス寸法測定の必要性を回避するが、それほど精度が高くないかもしれない。
【００１５】
一旦、冠状静脈洞の適用可能な領域の空洞サイズが決定されると、バルーンはそれに応じて拡張する。静脈は、より低い圧力においてかなり柔軟であり、したがって、空洞の中にとどまるカニューレを保持するために適切な直径が選択される。緊急性の適用のためには、生理食塩水がバルーンを満たすために使用できる。より長期間の適用のためには、ゲルまたはシリコーンが、バルーンを満たすために使用できる。
【００１６】
図２（Ａ）は、管壁240内のカニューレ200の遠位端分を示す。カニューレの本体は、各種の可能な構成を備え、２つ以上の空洞を収容している。図２（Ｂ）においてそのいくつかを示す。説明された実施形態においては、カニューレは、主要な空洞203および複数の２次的空洞204を含んでいる。２次的空洞は、拡張可能な外部バルーン221および／または内部バルーン222と接続できる。２次的空洞は、逆かん流の間にカニューレの内部のモニターを可能にする圧力センサーも含むことができる。
【００１７】
主要な空洞203は、動脈から引き出された酸素処理された血流が冠状静脈洞に流入することを可能にする導管である。カテーテルの空洞は、要求された初期の圧力降下のための最適な狭窄部幾何学形状を提供し、冠状の静脈系の穏やかな流れを保証するように設計される。様々な実施形態において、２次的空洞204は、、内部および外部バルーンの膨張、収縮、除去、冠状静脈洞圧力測定、カニューレ圧力測定、および薬剤供給のなどの各種の目的のために使用できる。一の典型的な実施形態において、２次的空洞204は、それらが経皮的アクセスポートとして採用されることで、グラフト本体から分岐している基端拡張部と作用的にされる。
【００１８】
図３（Ａ）は、カニューレの典型的な実施形態の詳細な説明を示し、その基端部がグラフト302であり、カニューレを通過している血液の圧力の降下を引き起こす狭窄部を含んでいる。狭窄部は、空洞を部分的に閉ざすバルーンの膨張により、または、空洞内に再吸収可能な材料を設けることにより、設けることができる。例えばポリオール類及びマグネシウム合金などの、各種の材料は、再吸収可能な狭窄部を構成するために使用できる。最も広く使われるポリオール類は、マンニトール、ソルビトール、およびマルチトールである。マンニトールは、ここに、本実施例の説明において使用される。コンピュータで計算された形状の型は、コンピュータ支援設計を用いて狭窄部を構成するために使用され、一方で、マグネシウム合金の幾何形状は、単一の管からレーザーにより彫造される。マンニトールは、食物、調剤、医療、および化学の産業において広く使われた自然に発生する非還元らせん状糖化合物である。結晶性のマンニトールは非常に低い吸湿性を示し、高い湿度で安定している製品において有用である。
【００１９】
マンニトールは、多くの場合、水溶液から急速に結晶化する傾向を有するので、乾燥たんぱく質製剤にバルク剤として加えられる。その性質に影響を与えることなく、アスピリンの有効成分であるアセチルサルチル酸がマンニトールと混合可能なことは、最近示された。狭窄部の再吸収の間に血液の凝結を防止することが、抗血栓特性を提供するので、理想的である。代わりに、現在では、薬剤溶出性のバイオ吸収性ステントに使用されているマグネシウム合金を使用可能である。マグネシウムは、有益な抗血栓性、抗不整脈性、および抗増殖性の性質を持つ自然の身体構成要素である。マグネシウム合金の分解速度は、リニアであり、２−３ヶ月の後に完了することが示されている。分解可能なマグネシウム合金の使用は、電気陰性であり、それゆえ、低血栓形成性表面をもたらす。必須の要素として、ゆっくりと分解するマグネシウムは組織を傷つけず、特に、非経口に与えられる場合には、0.5mol/lまではマグネシウム溶液は、良好な耐容性を示す。マグネシウム合金の機械的性質と腐食は、生理学上の条件の下で容易に制御可能で、分解可能な狭窄部の要件にマッチしている。そして、狭窄部型（mold）330は、基端側入口に非常に近いカニューレのカテーテル部分に挿入される。そして、グラフト302は図３（Ａ）に示すように、この連結部で接着できる。
【００２０】
マンニトールの再吸収レートは、分子量、結晶化度、および粒度の関数であることは注意すべきである。化合物は、約８週でそれが再吸収するように準備される。マグネシウム合金は、８−１２週以内に再吸収することが示されている。
【００２１】
バルーン閉塞のために、要求された閉塞は、バルーンの膨張の間にカニューレの先端における圧力の測定により得られる。そして、いったん要求された中間的な圧力が得られると、バルーン容積は最終決定される。患者は、しばらくの期間の圧力において動脈化することを許される。そのような期間（一般に、２―３週）の終わりには、閉塞はバルーンの収縮により取り除かれる。典型的な実施形態では、内側バルーンを含んでいる内側の空洞が取り外し可能で、それゆえ引き抜き可能である。
【００２２】
カニューレは、腋窩341または大腿部（図示せず）の静脈から冠状静脈洞の中に挿入される。基端側グラフト302は、隣接する動脈342に吻合される。グラフトは、周辺組織をサポートし血流から圧力に耐えるのに必要な強度と、動脈およびその内にカニューレが収納される静脈の間で吻合を成形するのに必要な柔軟性とを持つ、生体適合性、非吸収性のポリマーから形成できる。例えば、GORE-TEX（ポリテトラフルオロエチレン）などの材料は、グラフトにおいての使用に適当である。典型的な実施形態におけるグラフトの全体の長さは、約６cmであり、取り付けられたカテーテルのそれは８−１０cmであるが、その寸法が人間の冠状静脈洞と鎖骨下動脈の間の吻合の形成を可能にするような長さであればよい。他の実施形態では、アクセスポート306は、２次的空洞に接続され、２次的空洞と流体が接触し、基端側グラフト302から分岐する。
【００２３】
カニューレの直径は、特定の典型的な実施形態では、約4mmであるが、カニューレが十分な血流を与えて、関連する管に収容可能であるような直径であればよい。狭窄部の幾何形状は、約50mm Hgの圧力降下を保証し、十分に発展した流れを保証するための冠状静脈への十分な入口長さを確保するために様々に変えることができる。
【００２４】
本カニューレを使って自動的な逆かん流を実行するために、腋窩の静脈441および腋窩の動脈442は、図４（Ａ）−（Ｃ）及び図５に示すように、露出される。同様の処置が、図５に示すように、大腿部の静脈543および大腿部の動脈544を使って実施できる。そして、カニューレ400の遠位端部分は、腋窩の静脈441に導入される。これは、周知のセルディンガー（Seldinger）テクニックを使って実施でき、このテクニックは、蛍光透視法の下でカニューレをガイドワイヤにかけることを含む。カニューレの遠位端の部分は、その時、脈管構造（例えば、鎖骨下静脈および優れた静脈大静脈）を通じて、および心臓の右心房に（蛍光透視法 直接的ビジョン、経食道的心エコー図、または他の適当な手段を介して）導かれる。カニューレの遠位端の部分は、右心房を通じて冠状静脈である冠状静脈洞446の中へ進められる。カニューレの遠位端の部分は、冠状静脈洞の要求された位置に到着する時には、洞の測定がされて、外部バルーンはそれに応じて膨らまされる。
【００２５】
次に、カニューレの基端側グラフト部分402及び動脈442の吻合405は、図４（Ｃ）に示すように、腋窩の動脈にグラフトセクションを縫合することによって達成される。このアプローチは、冠状静脈系の長期間の動脈化のために使用され、それは、冠状動脈バイパスグラフトを置換可能である。
【００２６】
代わりに、自動逆かん流カニューレは、腋窩の静脈541および腋窩の動脈542及びクイックコネクタ545を通じて接続される両端での（局部麻酔の下の）経皮的穿刺によって挿入できる。この処置は、また、図５（Ｂ）に示すように、大腿部の静脈543及び動脈544を使って実施できる。この処置は、他の処置への橋渡しとして、患者を安定させるために、緊急の患者、または、短期間の冠状静脈の動脈化に用いることができる。
【００２７】
いったんカニューレが適所にあると、正常な順行性の血流は、平常通り継続するが、酸素処理された血液は、カニューレを通して冠状静脈洞を経て虚血性の心筋に自動的に逆かん流される。カニューレを通る酸素処理された血流は、心臓収縮期の終わり、及び、心臓拡張期の始めにおいて、拍動性の流れパターンを有するがピーク流れと圧力を有する心臓周期を通じて起こる。冠状静脈洞からの右心房への血液の逆流は、バルーンにより防止される。
【００２８】
局部麻酔の下で前記の処置を実施できることは注意すべきである。患者の特定の条件に依存して、自動逆かん流は、分、時、日、または月の間継続しうる。逆かん流の間に、２次的空洞は、冠状静脈洞圧力測定、および薬剤、細胞、遺伝子、または、成長因子の投与のために使用できる。２次的空洞に流体的に接続されたアクセスポート406、及びグラフトセクションは、皮下であることが予想される。
【００２９】
この方法は選択的な逆かん流に基づくので、カニューレが固定される冠状静脈洞のサイトと治療を要する心臓の領域との間に関係が存在する。図６は、興味あるいくつかのゾーンを示している。ゾーン１651は、図６（Ａ）において前面から見た図及び図６（Ｂ）において背面から見た図に示され、左心室の前方および側部の壁に対応するＬＡＤ心室間前方静脈のレベルにおける逆かん流に対応している。これが、かん流する左心房の中で最も大きい領域であること、およびそれゆえ、客観的に最も関連している。この領域は、冠状静脈洞に対して最も遠位端にあり、インピーダンス電極を通じて静脈の寸法測定により決定できる。ゾーン２ 652は、鈍い境目の回旋静脈のレベルをカバーし、冠状静脈洞に対してよりより基端側にある。ゾーン３  653は、後側部の回旋静脈のレベルをカバーしており、これはかん流する左心房の空洞の中で最も小さい領域であり、冠状静脈洞に対して最も基端側にある。したがって、インピーダンスの測定を通じて静脈の寸法測定により決定できるカテーテルの位置は、かん流領域を決定できる。これは、ＬＡＤまたはＬＣｘ疾病をもつ患者を治療するための臨床の戦略として役立つ。
【００３０】
本発明の典型的な実施形態の前述の開示物は、図解と説明の目的のために提示された。本発明を、開示された明確な形態に包括し、あるいは、限定することを意図していない。説明された実施形態の種々の変形と部分的な修正は、上記の開示物を考慮すれば当業者にとって明白である。本発明の範囲は、ここにおよびそれらの添付の特許請求の範囲及びその均等物のみにより規定されなければならない。
【００３１】
さらに、本発明の代表的な実施形態を記述する際に、明細書は、特定のシーケンスのステップとして、本発明の方法および／またはプロセスを提示したかもしれない。しかしながら、方法またはプロセスは、ここに記述された特定のステップの順序に依存していないで、方法またはプロセスは、説明された特定のシーケンスのステップに限定されるべきではない。当業者は、他のシーケンスのステップを想起可能である。従って、明細書に記述された特定の順序のステップは、請求項を限定するものとして解釈されるべきではない。さらに、本発明の方法および／またはプロセスを対象とする請求項は、記載された順序でそのステップの実施に限定されるべきでなく、当業者であれば、そのシーケンスが変更され、本発明の精神及び範囲内にあることをすぐに理解できる。
【図面の簡単な説明】
【００３２】
【図１】管壁内のカニューレを示し、本発明の典型的な実施形態に従って、遠位端において、外部拡張可能なバルーンは、冠状静脈内のカニューレを固定し、一方、内部バルーンは、圧力降下を起こすための必要な障害物を提供し、インピーダンス電極は、冠状静脈を局所的に測定するために遠位端に配置され、追加の電極は、十分な膨張、及び、遠位端寸法測定に従った静脈閉塞のために、バルーンの内部の配置されている。
【図２】（Ａ）は本発明の典型的な実施形態に従う内側および外側バルーンを備えるカニューレの複数空洞カテーテルの詳細な説明を示し、（Ｂ）は本発明の典型的な実施形態に従うカニューレ内の複数の空洞の典型的な実施形態の断面図を示している。
【図３】（Ａ）は本発明の典型的な実施形態に従う腋窩の静脈を介して冠状静脈洞に挿入されたカニューレを示し、（Ｂ）は本発明の典型的な実施形態に従う再吸収可能な狭窄部を含むカニューレの実施形態を示す。
【図４】（Ａ）は、本発明の典型的な実施形態に従う、腋窩の静脈の直接的な穿刺および冠状静脈洞へのカテーテル挿入を持つ逆かん流カニューレの低侵襲性の外科的挿入物を示し、（Ｂ）は、冠状静脈洞においてグラフトが適切な位置に固定された後の図４（Ａ）のカニューレを示し、（Ｃ）は、腋窩の動脈が準備され、グラフトの基端部側が吻合された際の図４（Ａ）のカニューレを示す。
【図５】腋窩および大腿部の領域における自動逆かん流カニューレの移植を示す。
【図６】選択的なかん流領域の分布を示し、ゾーン１が心室間のＬＡＤ前方静脈のレベルにおける逆かん流に対応し、左の空洞の前方で、側部の壁に対応し、ゾーン２は鈍い境目の回旋静脈のレベルにおけるものであり、ゾーン３は後外側の回旋静脈のレベルにおけるものである。
【図１】
2009502348.tif 000003
【図２】
2009502348.tif 000004
【図３】
2009502348.tif 000005
【図４】
2009502348.tif 000006
【図５】
2009502348.tif 000007
【図６】
2009502348.tif 000008
【国際調査報告】
2009502348.tif 000009